【事件の表示】
　特願２０１４−５５４０９３「無線通信システム、無線局、無線端末、通信制御方法、及びプログラム」拒絶査定不服審判事件〔平成２６年　７月　３日国際公開、ＷＯ２０１４／１０３１７６〕について、次のとおり審決する。
【結　論】
　本件審判の請求は、成り立たない。
【理　由】
第１　手続の経緯
　本願は、２０１３年（平成２５年）１２月２日（優先権主張　平成２４年１２月２８日）を国際出願日とする出願であって、平成２７年５月２５日に手続補正書が提出され、平成２９年９月１３日付けで拒絶理由が通知され、同年１１月８日に意見書が提出され、平成３０年５月２８日付けで拒絶理由が通知され、同年７月１７日に意見書及び手続補正書が提出され、同年１０月２４日付けで拒絶査定がされたところ、平成３１年１月２４日に拒絶査定不服審判の請求がされたものである。 
第２　本願発明
　本願の請求項１に係る発明（以下、「本願発明」という。）は、平成３０年７月１７日に補正された特許請求の範囲の請求項１に記載された次のとおりのものと認める。
「　第１のセルを運用する第１の無線局、第２のセルを運用する第２の無線局、及び第３のセルを運用する第３の無線局を含む無線ネットワークと、
　前記第１のセルをプライマリセルとして使用し且つ前記第２のセル及び前記第３のセルのいずれかをセカンダリセルとして使用するデュアルコネクティビティの機能を有する無線端末と、
を備え、
　前記第１の無線局は、前記無線端末の前記プライマリセルを維持しつつ前記無線端末の前記セカンダリセルを運用する無線局を前記第２の無線局から前記第３の無線局に変更する手順において、前記第２のセルにおける前記無線端末に関するSequence Number (SN) Status informationを前記第２の無線局から受信するとともに少なくとも前記SN Status informationを前記第３の無線局に送信する、
無線通信システム。」
第３　原査定の拒絶の理由
　原査定の拒絶の理由の概要は、
 「（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項１に係る発明に対して、以下の引用文献と周知文献が引用されている。
　１．国際公開第２０１２／１６６９７５号
　２．特開２０１２−２３９１５３号公報（周知文献）
第４　引用発明及び周知技術
１　引用例の記載事項及び引用発明
　原査定の拒絶理由に引用された、国際公開第２０１２／１６６９７５号（２０１２年１２月６日国際公開。以下、「引用例１」という。）には、以下の事項が記載されている。
ア．「TECHNICAL FIELD
 This application is directed to the operation of the Physical and Link Layer in mobile communication protocols.」（１ページ３〜５行）
（当審訳：技術分野
　本願は、移動通信プロトコルにおける物理レイヤ及びリンクレイヤのオペレーションに関する。）
イ．「 
The invention focuses on the Physical (PHY) and Link Layer design of systems such as 3GPP's Long Term Evolution (LTE)
  In accordance with a first aspect of the disclosure, a small-node device for offloading data traffic in a cellular telecommunications system is provided that includes: a-macro-base-station-to-the-small-node-device (BS2D) communication section configured to receive a first control-plane message from a base station over a BS2D communication link; a user-equipment-to-the-small-node-device (D2UE) communication section configured to transmit user-plane data to a user equipment over a wireless D2UE communication link established responsive to the first control-plane message; and a backhaul communication section configured 
to receive the user-plane traffic data from a network server over a backhaul link.
 In accordance with a second aspect of the disclosure,
 a mobile station (user equipment) 
 is provided that includes; a macro-base-station-to-the-user-equipment (BS2UE) communication section configured to receive both control-plane data and first user-plane data from the base station over a wireless BS2UE communication link; and a small-node-device-to-the-user-equipment (D2UE) communication section configured to receive second user-plane data from a server through the small-node device using a wireless D2UE communication link
（当審訳：
　
本発明は、３ＧＰＰのLong  Term  Evolution（ＬＴＥ）などのシステムの物理（ＰＨＹ）及びリンクレイヤ設計に焦点を置く
　開示の第１の態様に従って提供される、セルラ遠距離通信システムにおいてデータトラフィックをオフロードするための小ノードデバイスは、ＢＳ２Ｄ通信リンクを通して基地局から第１の制御プレーンメッセージを受信するように構成されるマクロ基地局対小ノードデバイス（ＢＳ２Ｄ）通信部と、前記第１の制御プレーンメッセージに応じて確立された無線Ｄ２ＵＥ通信リンクを通してユーザプレーンデータをユーザ装置に送信するように構成される小ノードデバイス対ユーザ装置（Ｄ２ＵＥ）通信部と、
バックホールリンクを通してサーバからユーザプレーントラフィックデータを受信する
　開示の第２の態様に従って提供される、セルラ遠距離通信システムにおいて小ノードデバイスからオフロードされたデータを受信するように構成される
移動局（ユーザ装置）は、無線ＢＳ２ＵＥ通信リンクを通して基地局から制御プレーンデータ及び第１のユーザプレーンデータの両方を受信するように構成されるマクロ基地局対ユーザ装置（ＢＳ２ＵＥ）通信部と、無線Ｄ２ＵＥ通信リンクを用いて、前記小ノードデバイスを通してサーバから第２のユーザプレーンデータを受信するように構成される小ノードデバイス対ユーザ装置（Ｄ２ＵＥ）通信部と、を含み
ウ．「 To perform this offloading of data traffic, the small-node devices have a backhaul link, which is connected to the Internet or the core network so as to communicate with a server in the Internet or the core network. The backhaul link to the small-node device is not limited to a wired connection to the Internet, but may be a wireless comiection to the Internet, such as a WiFi or cellular connection. The server transfers some of data to the user equipment (which  would otherwise be transferred using the base station) utilizing the backhaul link and the D2UE connections.
 The D2UE connections are controlled by the macro base station (which will be referred to merely as a base station hereinafter). More specifically, basic radio resource control, such as connection establishment, handover, connection release, call admission control and the like, for the D2UE connections is controlled by the base station.
Thus, some or most of the functions for conventional Macro2UE links such as transmitting broadcast channels, transmitting pilot and synchronization signals, controlling connections and the like, may be omitted in the D2UE connection.
（当審訳：
　このデータトラフィックのオフロードを行うため、小ノードデバイスはインターネット又はコアネットワークに接続されるバックホールリンクを有し、インターネット又はコアネットワークにおいてサーバと通信を行う。小ノードデバイスに対するバックホールリンクはインターネットへの有線接続に限定されず、ＷｉＦｉやセルラ接続など、インターネットへの無線接続であってもよい。サーバは、バックホールリンク及びＤ２ＵＥ接続を利用してデータの一部をユーザ装置に転送する（又は当該データは基地局を利用して転送される）。
Ｄ２ＵＥ接続はマクロ基地局（以下単に「基地局」という）によって制御される。より具体的には、接続の確立、ハンドオーバ、接続の解放、及び呼受付制御などのＤ２ＵＥ接続の基本的な無線リソース制御は基地局により制御される。
したがって、報知チャネルの送信、パイロット及び同期信号の送信、及び接続の制御など、従来のＭａｃｒｏ２ＵＥリンクの機能の一部又は大半をＤ２ＵＥ接続において省略することができる。
エ．「 In some embodiments, D2UE connections are maintained by a time domain duplex (TDD) physical layer design. In such embodiments, in the band(s) used for D2UE transmissions, the user equipment and the small-node device time-share the use of radio resources on the band(s). In alternative embodiments, D2UE connections may be maintained by a frequency domain duplex (FDD) physical layer resource sharing instead of TDD. 
D2UE and BS2UE transmissions can operate in different bands exploiting Carrier Aggregation Functions. The carrier aggregation functions correspond to functions, in which the transmitter can transmit signals and the receiver can receive signals in more than one carrier simultaneously.
 D2UE transmissions can operate in one band, and BS2UE transmissions can operate in another band, simultaneously in time.
（当審訳：
　別の実施例においては、Ｄ２ＵＥ接続は時間領域複信（ＴＤＤ）物理レイヤ設計により維持される。そのような実施例では、Ｄ２ＵＥ送信に用いられる帯域において、ユーザ装置と小ノードデバイスとは無線リソースを時間的に共有して当該帯域上で使用する。更に別の実施例では、Ｄ２ＵＥ接続は、ＴＤＤの代わりに、周波数領域複信（ＦＤＤ）物理レイヤリソース共有によって維持される。
Ｄ２ＵＥ及びＢＳ２ＵＥ送信はキャリアアグリゲーション機能を利用して異なる帯域で動作させることもできる。キャリアアグリゲーション機能は２つ以上のキャリアにおいて送信機と受信機とが同時に信号の送受信を行うことのできる機能に対応する。
Ｄ２ＵＥ送信が１つの帯域で動作し、かつＢＳ２ＵＥ送信が他の帯域で同時に動作することができる。
オ．「 User equipment 100 communicates with small-node devices 500 by a device-to-user-equipment (D2UE) communication. The D2UE communication between user equipment 100 and small-node devices 500 may be provided in a Time Division Multiplexing manner (TDD). Alternatively, the D2UE communication between the user equipment and the small-node devices 500 may be provided in a Frequency Division Multiplexing (FDD) manner. 
The D2UE link may be an LTE link or a simplified LTE link.
（当審訳：
　ユーザ装置１００はデバイス対ユーザ装置（Ｄ２ＵＥ）通信により小ノードデバイス５００と通信を行う。ユーザ装置１００と小ノードデバイス５００との間のＤ２ＵＥ通信は、時分割多重（ＴＤＤ）に従って行われる。或いは、ユーザ装置と小ノードデバイス５００との間のＤ２ＵＥ通信は、周波数分割多重（ＦＤＤ）に従って行ってもよい。
Ｄ２ＵＥリンクはＬＴＥリンクでもよく、又は単純化されたＬＴＥリンクであってもよい
カ．「 With regard to Figure 3, a decision has been made to offload some data but also have other data not be offloaded. The non-offloaded data is designated as Data #1, which is transferred from the access gateway apparatus 300 to the base station 200 in backhaul connection 740 and then transmitted to user equipment 100 in BS2UE connection  720 in downlinlc (DL), and vice versa in uplink (UL). This data flow is thus be transmitted in a conventional fashion. In addition to Data #1, 
offloaded Data #2 is transferred from core network 400 to small-node device 500 in backhaul connection 750 and then transmitted to user equipment 100 in D2UE connection 710 in DL
Control -plane signaling is transmitted in BS2D connection 730
Control signaling is transmitted also in BS2UE connection 720 so that base station 200 can control the communication in D2UE connection 710.
（当審訳：
　図３を参照し、あるデータをオフロードし、他のデータをオフロードしない決定がなされたとする。非オフロードデータはデータ＃１として指定され、バックホール接続７４０によりアクセスゲートウェイ装置３００から基地局２００へと転送され、そしてＢＳ２ＵＥ接続７２０により下りリンク（ＤＬ）でユーザ装置１００へと送信される。逆の上りリンク（ＵＬ）についても同様である。このデータフローは従来どおりに送信される。データ＃１に加え、
オフロードデータ＃２はバックホール接続７５０によりコアネットワーク４００から小ノードデバイス５００へと転送され、そして、Ｄ２ＵＥ接続７１０によりＤＬでユーザ装置１００へと転送される
制御プレーンシグナリングはＢＳ２Ｄ接続７３０で送信される
制御シグナリングはＢＳ２ＵＥ接続７２０でも送信されるため、基地局２００はＤ２ＵＥ接続７１０での通信を制御することができる
キ．「 
Referring to Figure 17, an operation of the mobile communication system according to another embodiment is illustrated. In a step S1101, some parts of the traffic data are transferred between user equipment 100 and server 600 via D2UE connection 710 and source small-node device 500, In a step S1102, some parts of the traffic data are transferred between user equipment 100 and server 600 via BS2UE connection 720 and base station 200.
 In a step S1103, user equipment 100 makes measurements for the D2UE connection, as described below. That is, user equipment 100 makes measurements for the DL radio link quality of the serving small-node device and the neighbor small-node device. The DL radio link quality may be at least one of pilot signal received power, path loss, signal-to-interference ratio (SIR), channel state information, channel quality indicator, received signal strength indicator, and the like. 
　（中略）
 In a step S1104, the user equipment transmits a measurement report to the base station so as to notify it that a closer neighbor small-node device is detected. 
Hereinafter, the serving small-node device is denoted as a Source small-node device and the neighbor small-node device is denoted as a Target small-node device.
 
The base station makes a decision that the user equipment should handover to the neighbor small-node device (the target small-node device)
 In a step S1106, the base station transmits control signaling to the target small-node device for handover preparation. The control signaling may be called handover request for D2UE connection. More specifically, the base station notifies the target small-node device of parameters for it to establish the D2UE connection with the user equipment. The  parameters described in step A804a may be included in the control signaling of step S1106.
 In a step S1107, the target small-node device transmits acknowledgement of the control signaling of step S1106. 
 In step S1108, the base station 200 transmits control signaling to the user equipment and orders for the user equipment to make handover to the target small-node device. The control signaling may include connection information for D2UE connection 710. More specifically, the connection information may include at least one of information on measurement configuration for D2UE connection 710, information on mobility control for D2UE connection 710, radio resource control information for D2UE connection 710, and the like. 
 Furthermore, the radio resource control information for D2UE connection 710 may include at least one of radio bearer information for D2UE connection 710, information for PDCP layer configuration in D2UE connection 710, information for RLC layer configuration in D2UE connection 710, information for MAC layer configuration in D2UE connection 710, information for physical layer configuration in D2UE connection 710, and the like. More specifically, the parameters described for step A804c may be included in the radio resource control information for D2UE connection 710. 
 In a step S1109, base station 200 transmits control signaling to the source small-node device 500 and notifies it that user equipment 100 should make handover to the target small-node device. Source small-node device 500 ends the communications with user equipment 100 based on the control signaling, i.e. the source small-node device releases D2UE connection 710. 
 In a step S1110, the user equipment transmits control signaling to establish a connection between the user equipment and the target small-node device. The control signaling may be a random access signaling and may be the same as the one in step A804c. 
 In a step S1111, the target small-node device 500 transmits acknowledgement of the  control signaling transmitted in step S1110. As a result, the D2UE connection can be established between user equipment 100 and the target small-node device. 
 In a step S1112, the user equipment transmits control signaling to the base station and notifies the base station that the handover to the target small-node device has been successfully conducted. 
 In the steps S1113, some parts of the traffic data are transferred between user equipment 100 and server 600 via D2UE connection 710 and target small-node device 500.
 
In a step S1114, some parts of the traffic data, are transferred between user equipment 100 and server 600 via BS2UE connection 720 and base station 200.
That is, step (S1102 and S1114) may be continuously conducted during the procedures described in Figure 17.
（当審訳：
　
図１７を参照して、別の実施例に係る移動通信システムのオペレーションを説明する。ステップＳ１１０１で、トラフィックデータの一部がＤ２ＵＥ接続７１０及びソース小ノードデバイス５００を介してユーザ装置１００とサーバ６００との間で転送される。ステップＳ１１０２で、トラフィックデータの一部がＢＳ２ＵＥ接続７２０及び基地局２００を介してユーザ装置１００とサーバ６００との間で転送される。
　ステップＳ１１０３で、ユーザ装置１００は以下に説明するようにＤ２ＵＥ接続の測定を行う。すなわち、ユーザ装置１００はサービング小ノードデバイス及び隣接小ノードデバイスのＤＬ無線リンク品質を測定する。ＤＬ無線リンク品質は、パイロット信号受信電力、パスロス、信号対干渉比（ＳＩＲ）、チャネル状態情報、チャネル品質指標、及び受信信号強度指標のうち少なくとも１つである。
　（中略）
　ステップＳ１１０４で、ユーザ装置は基地局に測定報告を送信し、より近い隣接小ノードデバイスが検出されたことを基地局に通知する。
以下サービング小ノードデバイスを「ソース小ノードデバイス」と称し、隣接小ノードデバイスを「ターゲット小ノードデバイス」と称する。
　ステップＳ１１０５で、
基地局は、ユーザ装置が隣接小ノードデバイス（ターゲット小ノードデバイス）へハンドオーバすべきであると決定する。
　ステップＳ１１０６で、基地局はハンドオーバの準備のために制御シグナリングをターゲット小ノードデバイスに送信する。この制御シグナリングを「Ｄ２ＵＥ接続のハンドオーバ要求」と称してもよい。より具体的には、基地局は、ターゲット小ノードデバイスがユーザ装置とＤ２ＵＥ接続を確立するためのパラメータを、ターゲット小ノードデバイスに通知する。ステップＡ８０４ａで説明したパラメータをステップＳ１１０６の制御シグナリングに含んでもよい。
　ステップＳ１１０７で、ターゲット小ノードデバイスはステップＳ１１０６の制御シグナリングに対する応答を送信する。
　ステップＳ１１０８で、基地局２００はユーザ装置に制御シグナリングを送信し、ユーザ装置にターゲット小ノードデバイスへのハンドオーバを実行するよう命令する。制御シグナリングはＤ２ＵＥ接続７１０の接続情報を含んでもよい。より具体的には、接続情報は、Ｄ２ＵＥ接続７１０の測定の設定、Ｄ２ＵＥ接続７１の移動性制御の情報、Ｄ２ＵＥ接続７１０の無線リソース制御情報などのうち少なくとも１つを含む。
　さらに、Ｄ２ＵＥ接続７１０の無線リソース制御情報は、Ｄ２ＵＥ接続７１０の無線ベアラ情報、Ｄ２ＵＥ接続７１０におけるＰＤＣＰレイヤ構成の情報、Ｄ２ＵＥ接続７１０におけるＲＬＣレイヤ構成の情報、Ｄ２ＵＥ接続７１０におけるＭＡＣレイヤ構成の情報、Ｄ２ＵＥ接続７１０における物理レイヤ構成の情報などのうち少なくとも１つを含んでもよい。より具体的には、ステップＡ８０４ｃで説明したパラメータをＤ２ＵＥ接続７１０の無線リソース制御情報に含んでもよい。
　ステップＳ１１０９で、基地局２００は制御シグナリングをソース小ノードデバイス５００に送信し、ユーザ装置１００がターゲット小ノードデバイスへハンドオーバすべきであることをソース小ノードデバイス５００に通知する。ソース小ノードデバイス５００は制御シグナリングに基づいてユーザ装置１００との通信を終了させる。具体的には、ソース小ノードデバイスがＤ２ＵＥ接続７１０を解放する。
　ステップＳ１１１０で、ユーザ装置は、ユーザ装置とターゲット小ノードデバイスとの間に接続を確立する制御シグナリングを送信する。制御シグナリングはランダムアクセスシグナリングであってもよく、ステップＡ８０４ｃにおけるものと同一であってもよい。
　ステップＳ１１１１で、ターゲット小ノードデバイス５００はステップＳ１１１０で送信された制御シグナリングに対する応答を送信する。その結果、ユーザ装置１００とターゲット小ノードデバイスとの間にＤ２ＵＥ接続を確立することができる。
　ステップＳ１１１２で、ユーザ装置は制御シグナリングを基地局に送信し、ターゲット小ノードデバイスへのハンドオーバの実行が成功したことを基地局に通知する。
　ステップＳ１１１３で、トラフィックデータの一部がＤ２ＵＥ接続７１０及びターゲット小ノードデバイス５００を介してユーザ装置１００とサーバ６００との間で転送される。
　
ステップＳ１１１４で、トラフィックデータの一部がＢＳ２ＵＥ接続７２０及び基地局２００を介してユーザ装置１００とサーバ６００との間で転送される。
すなわち、図１７に説明する工程の間、ステップ（Ｓ１１０２及びＳ１１１４）を継続して行ってもよい。
ク．図１、図３、図１７として以下の図面が記載されている。
　上記記載事項及び当業者の技術常識を考慮すると、引用例には次の技術的事項が記載されている。
ａ　上記キ．の記載及び上記ク．の図１７によれば、引用例には「基地局」、「ソース小ノードデバイス」、「ターゲット小ノードデバイス」、及び「ユーザ装置」を備える「移動通信システム」が記載されているといえる。
ｂ　上記エ．には、Ｄ２ＵＥ（小ノードデバイス対ユーザ装置）とＢＳ２ＵＥ（基地局対ユーザ装置）送信はキャリアアグリゲーション機能を利用して異なる帯域で動作させることができると記載されているといえ、上記カ．及び上記クの図３にも、ユーザ装置がＤ２ＵＥ接続とＢＳ２ＵＥ接続により接続されることが記載されているといえる。そうすると、ユーザ装置はキャリアアグリゲーションによりＤ２ＵＥ接続とＢＳ２ＵＥ接続の両方に接続されているといえる。そして、上記キ．によれば、ユーザ装置はソース小ノードデバイスからターゲット小ノードデバイスへハンドオーバするから、ユーザ装置はＢＳ２ＵＥ接続と、ソース小ノードデバイスとのＤ２ＵＥ接続及びターゲット小ノードとのＤ２ＵＥ接続のいずれか、とにより接続しているといえる。
　また、上記カ．によれば、ユーザ装置への制御シグナリングはＢＳ２ＵＥ接続により送信され、バックホール接続とＤ２ＵＥ接続ではオフロードデータ＃２が伝送されることが記載されているといえ、上記ウ．には、Ｄ２ＵＥ接続において報知チャネルの送信、パイロット及び同期信号の送信、及び接続の制御などが省略することができると記載されていることを踏まえると、ユーザ装置への制御シグナリングはＢＳ２ＵＥ接続により行われると考えるのが自然である。
　したがって、ユーザ装置は、制御シグナリングを伝送するＢＳ２ＵＥ接続と、オフロードデータ＃２を伝送するソース小ノードデバイスとのＤ２ＵＥ接続及びターゲット小ノードとのＤ２ＵＥ接続のいずれか、とによるキャリアアグリゲーションを行っているものといえる。
ｃ　上記カ．によれば、バックホール接続は、コアネットワークから、小ノードデバイスヘオフロードデータ＃２を転送しているから、ソース小ノードデバイス及びターゲット小ノードデバイスへオフロードデータ＃２を伝送しているといえる。また、制御プレーンシグナリングがＢＳ２Ｄ接続で送信されるから、基地局が制御プレーンシグナリングをＢＳ２Ｄ接続を介してソース小ノードデバイス及びターゲット小ノードデバイスに送信しているといえる。
ｄ　上記キ．には、Ｄ２ＵＥ接続をソース小ノードデバイスからターゲット小ノードデバイスへハンドオーバする手順が記載されているといえる。そして、上記キ．の「図１７に説明する工程の間、ステップ（Ｓ１１０２及びＳ１１１４）を継続して行ってもよい。」との記載において、図１７に説明する工程の間とはハンドオーバする間を、ステップ（Ｓ１１０２及びＳ１１１４）はＢＳ２ＵＥを介した転送を、それぞれ示しているといえるから、上記記載は、ハンドオーバする間、ＢＳ２ＵＥ接続が継続されることを示しているといえる。
　そうすると、引用例には、ＢＳ２ＵＥ接続は継続しつつ、Ｄ２ＵＥ接続をソース小ノードデバイスからターゲット小ノードデバイスへハンドオーバする手順が記載されているといえる。
　以上を総合すると、引用例には次の発明（以下、「引用発明」という。）が記載されていると認める。
「　基地局、ソース小ノードデバイス、及びターゲット小ノードデバイスと、
　制御シグナリングを伝送するＢＳ２ＵＥ接続と、オフロードデータを伝送する前記ソース小ノードデバイスとのＤ２ＵＥ接続及び前記ターゲット小ノードデバイスとのＤ２ＵＥ接続のいずれか、とによるキャリアアグリゲーションを行うユーザ装置と、を備え、
　バックホール接続が、コアネットワークから、前記ソース小ノードデバイス及び前記ターゲット小ノードデバイスへオフロードデータを伝送し、前記基地局が制御プレーンシグナリングをＢＳ２Ｄ接続を介して前記ソース小ノードデバイス及び前記ターゲット小ノードデバイスに送信し、
　前記ＢＳ２ＵＥ接続は継続しつつ、Ｄ２ＵＥ接続を前記ソース小ノードデバイスから前記ターゲット小ノードデバイスへハンドオーバする手順を有する、
移動通信システム。」
２　周知例の記載事項及び周知技術
　原査定の拒絶理由に周知例として引用された特開２０１２−２３９１５３号（平成２４年１２月６日公開）には、以下の事項が記載されている。
「【背景技術】
【０００２】
　
ＬＴＥ（Ｌｏｎｇ  Ｔｅｒｍ  Ｅｖｏｌｕｔｉｏｎ）方式では、 一般的に無線基地局間ハンドオーバ（Ｉｎｔｅｒ-ｅＮＢ  ＨＯ）の際に、ハンドオーバ元無線基地局ｅＮＢ（Ｓｏｕｒｃｅ-ｅＮＢ) が、ハンドオーバ先無線基地局ｅＮＢ（Ｔａｒｇｅｔ-ｅＮＢ）に対して、移動局ＵＥからのＡＣＫ（送達確認情報）を確認できなかったデータ及び当該データに関連する状態変数を転送することで、ハンドオーバにより移動局ＵＥの「Ｓｅｒｖｉｎｇ-ｅＮＢ」が変わった場合であっても、ロスレス通信を実現することが可能となる。
【０００３】
　無線基地局ｅＮＢにおいて、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能が、データ転送処理に主に関連する。
【０００４】
　具体的には、ＰＤＣＰレイヤ機能は、主に、データの秘匿/解読（Ｃｉｐｈｅｒｉｎｇ/Ｄｅｃｉｐｈｅｒｉｎｇ）処理や、ヘッダ圧縮（Ｈｅａｄｅｒ  ｃｏｍｐｒｅｓｓｉｏｎ/ｄｅ-ｃｏｍｐｒｅｓｓｉｏｎ）処理や、データの改ざん検出（Ｉｎｔｅｇｒｉｔｙ  Ｐｒｏｔｅｃｔｉｏｎ）処理を行うように構成されている。
【０００５】
　ＰＤＣＰレイヤ機能は、状態変数として、ＨＦＮ（Ｈｙｐｅｒ  Ｆｒａｍｅ  Ｎｕｍｂｅｒ）及びＰＤＣＰ-ＳＮ（Ｓｅｑｕｅｎｃｅ  Ｎｕｍｂｅｒ）を管理しており、かかる状態変数を入力値として、上述の秘匿/解読処理やヘッダ圧縮処理を行うように構成されている。
【０００６】
　ここで、移動局ＵＥと無線基地局ｅＮＢとの間で、上述のＨＦＮの値に整合性が維持できていなければ、受信側装置において正常な解読処理を行うことができず、送信されたデータ（例えば、ＩＰパケット）を抽出することができない。
【０００７】
　したがって、上述のデータの転送を行う際には、移動局ＵＥとハンドオーバ先無線基地局ｅＮＢと間で、ＨＦＮの整合性を維持したまま、ハンドオーバ手順を実施する必要がある。
【０００８】
　以下、ＰＤＣＰレイヤ機能における送受信処理について具体的に説明する。
【０００９】
　送信側装置のＰＤＣＰレイヤ機能（ＰＤＣＰ  ｅｎｔｉｔｙ）は、送信処理において、ＰＤＣＰ-ＳＤＵ（Ｓｅｒｖｉｃｅ  Ｄａｔｅ  Ｕｎｉｔ）に対してＨＦＮを用いて秘匿処理（及び、ヘッダ圧縮処理）を施し、ＰＤＣＰ-ＳＮを付与することによってＰＤＣＰ-ＰＤＵ（Ｐｒｏｔｏｃｏｌ  Ｄａｔａ  Ｕｎｉｔ）を生成して、ＲＬＣ（Ｒａｄｉｏ  Ｌｉｎｋ  Ｃｏｎｔｒｏｌ）レイヤ機能に送信するように構成されている。
【００１０】
　ここで、「ＰＤＣＰ-ＳＮ」は、ＰＤＣＰレイヤ機能においてＰＤＣＰ-ＰＤＵを生成する度にインクリメントされるシーケンス番号であり、「０」〜「４０９５」の範囲の値を取る。
【００１１】
　また、「ＨＦＮ」は、ＰＤＣＰ-ＳＮが一巡する度にインクリメントされるものであり、「０」〜「１０４８５７６」の範囲の値を取る。
【００１２】
　さらに、「ＣＯＵＮＴ値」は、上位ビットとしてＨＦＮを有し、下位ビットとしてＰＤＣＰ-ＳＮを有する値である。
　　（中略）
【００１７】
　また、従来の無線基地局ｅＮＢ間のデータ転送制御では、例えば、
ハンドオーバ元無線基地局ｅＮＢは、ハンドオーバ先無線基地局ｅＮＢに対して
以下の情報を転送するように構成されている。
【００１８】
-　
次のＤＬ-ＰＤＣＰ-ＳＤＵの処理に用いる予定のＣＯＵＮＴ値を形成するＨＦＮ及びＰＤＣＰ-ＳＮ
-　ＲＬＣレイヤ機能に対して既に送信されているＰＤＣＰ-ＰＤＵであり、かつ、かかるＰＤＣＰ-ＰＤＵに対応する全てのＲＬＣ-ＰＤＵに対するＲＬＣ-ＡＣＫが確認できていないＰＤＣＰ-ＰＤＵに対応するＰＤＣＰ-ＳＤＵ
-　ＣＯＵＮＴ値を用いた処理及びＰＤＣＰ-ＳＮの付与が既に行われており、かつ、ＲＬＣレイヤ機能に対して未だ送信されていないＰＤＣＰ-ＰＤＵに対応するＰＤＣＰ-ＳＤＵ
-　ＰＤＣＰ-ＳＮが未だ付与されていないＰＤＣＰ-ＳＤＵ
　また、ハンドオーバ元無線基地局ｅＮＢは、ＧＴＰヘッダオプションによって、ハンドオーバ先無線基地局ｅＮＢに対して、ＰＤＣＰ-ＳＤＵに既に付与されているＰＤＣＰ-ＳＮを通知するように構成されている。
【００１９】
　同様に、移動局ＵＥの無線基地局ｅＮＢ配下の第１セル（接続元セル）から第２セル（接続先セル）への再接続手順においても、無線基地局ｅＮＢ内の第１セルを管理する機能が、無線基地局ｅＮＢ内の第２セルを管理する機能に対して、上述の情報を転送するように構成されている。」（５〜７ページ）
　背景技術として記載された上記記載には、一般的に無線基地局間ハンドオーバの際に、ロスレス通信を実現するため、移動局ＵＥとの通信における次のＤＬ-ＰＤＣＰ-ＳＤＵの処理に用いる予定のＣＯＵＮＴ値を形成するＨＦＮ及びＰＤＣＰ-ＳＮを、ハンドオーバ元無線基地局ｅＮＢが、ハンドオーバ先無線基地局ｅＮＢに対して送信することが記載されている。したがって、以下の事項は本願の優先権主張日時点において周知の技術（以下、「周知技術」という。）であると認める。
「ハンドオーバを行う際に、ロスレス通信を実現するため、ハンドオーバ元無線基地局ｅＮＢは、移動局との通信における次のＤＬ-ＰＤＣＰ-ＳＤＵの処理に用いる予定のＣＯＵＮＴ値を形成するＨＦＮ及びＰＤＣＰ-ＳＮを、ハンドオーバ先無線基地局ｅＮＢに対して送信すること。」
第５　対比・判断
　本願発明と引用発明とを対比すると、
ａ　引用発明の「基地局」、「ソース小ノードデバイス」及び「ターゲット小ノードデバイス」は基地局であるから、それぞれがセルを有していることは明らかである。
　引用発明の「基地局」はＢＳ２ＵＥ接続により制御シグナリングをユーザ装置に伝送するから、当該基地局が有するセルはキャリアアグリゲーションにおけるプライマリセルといえ、本願発明の「第１のセル」に相当する。そして、引用発明の「基地局」は本願発明の「第１の無線局」に相当する。
　引用発明の「ソース小ノードデバイス」及び「ターゲット小ノードデバイス」はＤ２ＵＥ接続によりオフロードデータをユーザ装置に伝送する構成であるから、これらの小ノードデバイスがそれぞれ有するセルはキャリアアグリゲーションにおけるセカンダリセルとして動作するものといえ、本願発明の「第２のセル」及び「第３のセル」に相当する。そして、引用発明の「ソース小ノードデバイス」及び「ターゲット小ノードデバイス」は本願発明の「第２の無線局」及び「第３の無線局」にそれぞれ相当する。
　また、引用発明の「基地局」「ソース小ノードデバイス」及び「ターゲット小ノードデバイス」を含む構成は、本願発明の第１の無線局、第２の無線局、及び第３の無線局を含む「無線ネットワーク」と対応する。
　したがって、引用発明と本願発明とは「第１のセルを運用する第１の無線局、第２のセルを運用する第２の無線局、及び第３のセルを運用する第３の無線局を含む無線ネットワーク」を備えている点で共通する。
ｂ　ａで述べたように、引用発明のＢＳ２ＵＥ接続に係る基地局が有するセルはプライマリセルとして動作する。そして引用発明においてソース小ノードデバイスを有するセル及びターゲット小ノードデバイスが有するセルのいずれかをセカンダリセルとして、ユーザ装置はキャリアアグリゲーションを行っている。ここでユーザ装置は、異なる無線局である「基地局」と、「ソース小ノードデバイス又はターゲット小ノードデバイスのいずれか」に接続して、キャリアアグリゲーションを行っているから、デュアルコネクティビティの機能を有しているといえ、本願発明と同様に「前記第１のセルをプライマリセルとして使用し且つ前記第２のセル及び前記第３のセルのいずれかをセカンダリセルとして使用するデュアルコネクティビティの機能を有する無線端末」といえる。
ｃ　引用発明は「ＢＳ２ＵＥ接続は継続しつつ、Ｄ２ＵＥ接続をソース小ノードデバイスからターゲット小ノードデバイスへハンドオーバする手順を有する」から、ユーザ装置に係るプライマリセルを維持しつつセカンダリセルをソース小ノードデバイスからターゲット小ノードデバイスへハンドオーバする手順を有しているということができ、本願発明と「前記無線端末の前記プライマリセルを維持しつつ前記無線端末の前記セカンダリセルを運用する無線局を前記第２の無線局から前記第３の無線局に変更する手順」を有する点で共通しているといえる。
ｄ　引用発明の「移動通信システム」は無線により通信を行うことが明らかであるから、「無線通信システム」といえる点で本願発明と共通する。
　したがって、本願発明と引用発明とは、以下の点で一致ないし相違する。
（一致点）
「　第１のセルを運用する第１の無線局、第２のセルを運用する第２の無線局、及び第３のセルを運用する第３の無線局を含む無線ネットワークと、
　前記第１のセルをプライマリセルとして使用し且つ前記第２のセル及び前記第３のセルのいずれかをセカンダリセルとして使用するデュアルコネクティビティの機能を有する無線端末と、
を備え、
　前記無線端末の前記プライマリセルを維持しつつ前記無線端末の前記セカンダリセルを運用する無線局を前記第２の無線局から前記第３の無線局に変更する手順を有する、
無線通信システム。」
（相違点）
　セカンダリセルを運用する無線局を前記第２の無線局から前記第３の無線局に変更する手順において、本願発明では、第１の無線局は「前記第２のセルにおける前記無線端末に関するSequence Number (SN) Status informationを前記第２の無線局から受信するとともに少なくとも前記SN Status informationを前記第３の無線局に送信する」のに対して、引用発明では当該事項について特定されていない点。
　上記相違点について検討する。
　上記「第４　引用発明及び周知技術」の「２　周知例の記載事項及び周知技術」で述べたとおり「ハンドオーバを行う際に、ロスレス通信を実現するため、ハンドオーバ元無線基地局ｅＮＢは、移動局との通信における次のＤＬ-ＰＤＣＰ-ＳＤＵの処理に用いる予定のＣＯＵＮＴ値を形成するＨＦＮ及びＰＤＣＰ-ＳＮを、ハンドオーバ先無線基地局ｅＮＢに対して送信すること」は周知技術である。
　ここで、「移動局との通信において次のＤＬ-ＰＤＣＰ-ＳＤＵの処理に用いる予定のＣＯＵＮＴ値を形成する・・・ＰＤＣＰ-ＳＮ」は、移動局との通信の状況を示すものであり、Sequence Number (SN) Status informationということができる。
　そうしてみると、引用発明も、Ｄ２ＵＥ接続がソース小ノードデバイスからターゲット小ノードデバイスへハンドオーバを行うものであるから、ロスレス通信を実現するために、周知技術に接した当業者が引用発明に当該周知技術を適用しようとすることは格別困難な事項ではなく、引用発明において、ソース小ノードデバイスからターゲット小ノードデバイスへSequence Number (SN) Status informationを伝送する構成とすることは容易に想到できた事項である。
　そして、引用発明において、バックホール接続はオフロードデータをコアネットワークと小ノードデバイスとの間で伝送するものであり、ソース小ノードデバイスとターゲット小ノードデバイスとの間で直接通信する通信経路ではないため、周知技術を引用発明に適用するにあたり、引用発明においてＢＳ２Ｄ接続を介して制御プレーンシグナリングを送信していることを踏まえ、Sequence Number (SN) Status informationをＢＳ２Ｄ接続を介して基地局経由で伝送する構成とすることが自然である。
　したがって、本願発明のセカンダリセルを運用する無線局を変更する手順において「前記第２のセルにおける前記無線端末に関するSequence Number (SN) Status informationを前記第２の無線局から受信するとともに少なくとも前記SN Status informationを前記第３の無線局に送信する」構成は、引用発明に周知技術を適用することにより、当業者が容易に想到できたものである。
　そして、本願発明が奏する効果も、当業者が引用発明及び周知技術から容易に予想できる範囲のものである。
　なお、請求人は審判請求書において、引用例には複数の小ノードデバイスの間が直接的に接続された構造のみが示されていると指摘している。しかしながら、請求人が直接的な接続と指摘する「バックホールリンク７５０」は、上述したようにオフロードデータの伝送を行うため、小ノードデバイスをコアネットワークに接続する構成であり、小ノードデバイスの間で制御データの直接的なやり取りを行なうものとはいえない。
第６　むすび
　以上のとおり、本願の請求項１に係る発明は、引用発明及び周知技術に基づいて当業者が容易に発明をすることができたものであるから、特許法２９条２項の規定により、特許を受けることができない。
　したがって、本願は、他の請求項について検討するまでもなく、拒絶すべきものである。
　よって、結論のとおり審決する。